(57)【要約】【課題】本発明は、情報表示画面や光透過窓に貼り付けた場合に、明るい外観を呈する光線制御体及びその製造方法を提供する。【解決手段】光透過帯１２と遮光帯１４とが交互に繰り返して設けられているルーバー層１０を備え、ルーバー層１０の第一の主面Ａに表出した遮光帯１４の表面の少なくとも一部に、第一金属層２０を備える、光線制御体１。ルーバー層１０の第一の主面Ａ及び第二の主面Ｂの双方又はいずれか一方に透明保護層をさらに備えることが好ましい。【選択図】図１
2019128477.tif 000002
【特許請求の範囲】
【請求項１】
光透過帯と遮光帯とが交互に繰り返して設けられているルーバー層を備え、
前記ルーバー層の第一の主面に表出した前記遮光帯の表面の少なくとも一部に、第一金属層を備える、光線制御体。
【請求項２】
前記ルーバー層の第二の主面に表出した前記遮光帯の表面の少なくとも一部に、第二金属層を備える、請求項１に記載の光線制御体。
【請求項３】
前記ルーバー層の第一の主面及び第二の主面の双方又はいずれか一方に透明保護層をさらに備える、請求項１又は２に記載の光線制御体。
【請求項４】
請求項１〜３のいずれか一項に記載の光線制御体の製造方法であって、
前記ルーバー層の第一の主面に表出した前記遮光帯の表面に優先的に第一金属層を形成する第一金属層積層工程を有する、光線制御体の製造方法。
【請求項５】
請求項１〜３のいずれか一項に記載の光線制御体の製造方法であって、
前記ルーバー層の第一の主面の全体に第一金属層を形成する第一金属層積層工程と、
前記ルーバー層の第一の主面に表出した前記光透過帯の表面に形成された前記第一金属層を除去する第一金属層整形工程と、を有する、光線制御体の製造方法。
【発明の詳細な説明】
【技術分野】
【０００１】
本発明は、光線制御体及びその製造方法に関する。
【背景技術】
【０００２】
携帯電話、携帯情報端末、暗証番号入力端末等（情報表示体）の情報表示画面の視野角を制御し、視認性を高めるために、情報表示画面に光学フィルム（光線制御体）を貼ることがある。このような光学フィルムとしては、例えば、特許文献１の光射出方向制御フィルムが提案されている。
特許文献１の光射出方向制御フィルムには、情報表示画面に対して水平方向に交互に遮光帯と光透過帯とが設けられたルーバー層が備えられている。このため、情報表示画面からの光の出射方向を制御できる。加えて、情報表示画面への太陽光や蛍光灯等の外光の入射方向を制御できる。
【先行技術文献】
【特許文献】
【０００３】
【特許文献１】特開２００４−２０７２５号公報
【発明の概要】
【発明が解決しようとする課題】
【０００４】
しかし、情報表示画面に、特許文献１に記載されているような光射出方向制御フィルムを貼り付けると、遮光帯が暗色の顔料や色素を含むため、情報表示画面が暗い色となる。情報表示体のケース（筐体）が金属光沢や白色等の明るい色調である場合、情報表示画面に貼り付けた光線制御体と情報表示体のケースとの間に色調の差が生じ、情報表示体の外観を損ねるという問題がある。
情報表示体に限らず、例えば、光センサ装置の光透過窓に、迷光を防ぐ目的で光線制御体を貼り付けた場合にも、光透過窓に貼り付けた光線制御体と光センサ装置の筐体との色調差による外観不良の問題がある。
【０００５】
本発明は、情報表示画面や光透過窓に貼り付けた場合に、明るい外観を呈する光線制御体及びその製造方法を提供する。
【課題を解決するための手段】
【０００６】
本発明は、以下の構成を有する。
［１］光透過帯と遮光帯とが交互に繰り返して設けられているルーバー層を備え、前記ルーバー層の第一の主面に表出した前記遮光帯の表面の少なくとも一部に、第一金属層を備える、光線制御体。
［２］前記ルーバー層の第二の主面に表出した前記遮光帯の表面の少なくとも一部に、第二金属層を備える、［１］に記載の光線制御体。
［３］前記ルーバー層の第一の主面及び第二の主面の双方又はいずれか一方に透明保護層をさらに備える、［１］又は［２］に記載の光線制御体。
［４］［１］〜［３］のいずれかに記載の光線制御体の製造方法であって、前記ルーバー層の第一の主面に表出した前記遮光帯の表面に優先的に第一金属層を形成する第一金属層積層工程を有する、光線制御体の製造方法。
［５］［１］〜［３］のいずれかに記載の光線制御体の製造方法であって、前記ルーバー層の第一の主面の全体に第一金属層を形成する第一金属層積層工程と、前記ルーバー層の第一の主面に表出した前記光透過帯の表面に形成された前記第一金属層を除去する第一金属層整形工程と、を有する、光線制御体の製造方法。
【発明の効果】
【０００７】
本発明の光線制御体及びその製造方法によれば、情報表示画面や光透過窓に光線制御体を貼り付けた場合に、明るい外観を呈する。
【図面の簡単な説明】
【０００８】
【図１】本発明の光線制御体の第一実施形態を示す斜視図である。
【図２】図１の光線制御体のＩＩ−ＩＩ線断面図である。
【図３】本発明の光線制御体の第二実施形態を示す断面図である。
【発明を実施するための形態】
【０００９】
≪第一実施形態≫
＜光線制御体＞
本発明の光線制御体について、以下に、図面を用いて詳細に説明する。なお、以下の説明で用いる図面は、特徴をわかりやすくするために、便宜上特徴となる部分を拡大して示している場合があり、各構成要素の寸法比率等が実際と同じであるとは限らない。
図１に示すように、本実施形態の光線制御体１は、光透過帯１２と遮光帯１４とが交互に繰り返して設けられているルーバー層１０を備え、ルーバー層１０の第一の主面Ａに表出した遮光帯１４の表面の少なくとも一部に、第一金属層２０を備える。
【００１０】
各光透過帯１２及び各遮光帯１４は、ルーバー層１０の厚さ方向（第一の主面Ａから第二の主面Ｂに向かう方向）に延びている。光透過帯１２と遮光帯１４とは、ルーバー層１０の幅方向（厚さ方向に直交する方向）において交互に繰り返して設けられている。ルーバー層１０において、遮光帯１４に挟まれた光透過帯１２を通して、ルーバー層１０の厚さ方向、すなわち光線制御体１の厚さ方向に沿って、光が透過する。光は、第一の主面Ａから第二の主面Ｂの方向へ透過してもよく、第二の主面Ｂから第一の主面Ａの方向へ透過してもよい。
【００１１】
図２に示すように、ルーバー層１０の第一の主面Ａに表出した遮光帯１４の表面には、第一金属層２０が形成されている。第一金属層２０は、ルーバー層１０の第一の主面Ａに表出した遮光帯１４の表面の少なくとも一部に形成されていればよい。
遮光帯１４の表面よりも第一金属層２０の方が明るいため、第一金属層２０が形成されていることにより、ルーバー層１０の第一の主面Ａは、明るい外観を呈する。光線制御体１の外観をより明るくする観点から、第一金属層２０は、ルーバー層１０の第一の主面Ａに表出した遮光帯１４の長手方向（図１におけるルーバー層１０の奥行方向）に沿って、全体に形成されていることが好ましい。
光線制御体１の光透過率（光線透過率）を確保する観点から、第一金属層２０は、ルーバー層１０の第一の主面Ａに表出した光透過帯１２の表面には形成されず、第一の主面Ａに表出した遮光帯１４の表面のみに形成されることが好ましい。光線制御体１の外観をより明るくする観点から、第一金属層２０は、ルーバー層１０の第一の主面Ａに表出した遮光帯１４の表面全体に形成されていることがより好ましい。
【００１２】
［ルーバー層］
ルーバー層１０は、光透過帯１２と遮光帯１４とを各々複数含み、光透過帯１２と遮光帯１４とが交互に繰り返し配置されている。各光透過帯１２と各遮光帯１４とは、図２の奥行方向（紙面に垂直な方向）に沿って、互いに平行となるように配置されている。
ルーバー層１０の厚さは、１００μｍ以上５０００μｍ以下が好ましく、１２０μｍ以上１０００μｍ以下がより好ましく、１５０μｍ以上５００μｍ以下がさらに好ましい。
ルーバー層１０の厚さが上記数値範囲内であると、視野角（光の透過角）を容易に調整でき、また、ルーバー層１０を容易に作製できる。
ここで、ルーバー層１０の厚さは、図２におけるルーバー層１０の上下方向（第一の主面Ａに対して垂直方向）の長さのことをいう。
ルーバー層１０の厚さは、無作為に選択された５ヶ所の断面の厚さをデジタルマイクロスコープによって測定した値の平均値として求められる。
【００１３】
ルーバー層１０において、光透過帯１２と遮光帯１４との接合面は、ルーバー層１０の厚さ方向に対して、任意の角度（０°以上９０°未満）で傾斜していてもよい。
前記接合面が任意の角度で傾斜していることにより、光線制御体１を透過する光の視野角を制御できる。
【００１４】
（光透過帯）
光透過帯１２を構成する材料としては、目的の可視光線又は近赤外線の波長を透過させる樹脂材料が用いられる。光透過帯１２を透過する光の波長は、可視光線又は近赤外線の全範囲３８０ｎｍ以上１５００ｎｍ以下であってもよいし、その一部であってもよい。
光透過帯１２を構成する樹脂材料としては、透明性が高い熱可塑性樹脂又は熱硬化性樹脂が使用され、例えば、セルロース系樹脂、ポリオレフィン系樹脂、ポリエステル系樹脂、シリコーン樹脂、ポリスチレン樹脂、ポリ塩化ビニル樹脂、アクリル樹脂、ポリカーボネート樹脂等が挙げられる。これらのなかでもシリコーン樹脂が好ましく、柔軟性、耐熱性及び透明性が高い点でシリコーンゴムがより好ましい。
【００１５】
シリコーンゴムとしては、例えば、一般にミラブルゴムと呼ばれるシリコーンゴム組成物や、いわゆる付加反応型のオルガノシリコーンゴム組成物等が挙げられる。ミラブルゴムは、分子鎖末端がヒドロキシシリル基又はビニルシリル基で封鎖されたジオルガノポリシロキサンと有機過酸化物とからなる。付加反応型のオルガノシリコーンゴム組成物は、分子中にケイ素原子に結合したビニル基を少なくとも２個有するジオルガノポリシロキサンに、分子中にケイ素原子に結合した水素原子（＝ＳｉＨ結合）を少なくとも３個有するオルガノハイドロジェンポリシロキサンと白金系触媒を配合してなる。
光透過帯１２は、透明性が高いことが好ましい。ルーバー層１０の光透過帯１２のみに対して、ルーバー層１０の厚さ方向に光を透過させたときの光透過率は、７５％以上が好ましく、８５％以上がより好ましい。
【００１６】
光透過帯１２の幅は、５０μｍ以上２００μｍ以下が好ましく、１００μｍ以上１５０μｍ以下がより好ましい。光透過帯１２の幅が上記数値範囲内であると、ルーバー層１０において、視野角の制御と光透過率の確保とを両立しやすい。
ここで、光透過帯１２の幅は、図２における光透過帯１２の左右方向（第一の主面Ａに沿う方向）の長さのことをいう。
光透過帯１２の幅は、ルーバー層１０の第一の主面Ａの側から、無作為に選択された５ヶ所の断面の厚さをデジタルマイクロスコープによって測定した値の平均値として求められる。
【００１７】
（遮光帯）
遮光帯１４を構成する材料としては、樹脂材料を基材とし、これに顔料や染料等の着色剤を添加した着色樹脂が使用される。
遮光帯１４を構成する樹脂材料は、光透過帯１２を構成する樹脂材料と同一のものであってもよいし、異なるものであってもよい。光透過帯１２と遮光帯１４との接着性が高くなる観点から、遮光帯１４を構成する樹脂材料は、光透過帯１２を構成する樹脂材料と同一であることが好ましい。
【００１８】
遮光帯１４の色調は、遮光帯１４において好ましい遮光性が得られればよく、例えば、黒、赤、黄、緑、青、水色等とすることができる。遮光帯１４の色調は、着色剤の種類及び添加量によって調整できる。
遮光帯１４の色調は、第一金属層２０とともにルーバー層１０を見たときに認識される色調を構成するため、光線制御体１の意匠性も考慮して設計することが好ましい。
遮光帯１４は、十分な遮光性を有することが好ましい。ルーバー層１０の遮光帯１４のみに対して、ルーバー層１０の厚さ方向に光を入射させたときの光透過率は、４０％以下が好ましく、１０％以下がより好ましく、０％が最も好ましい。このような光透過率であれば、十分な遮光性を有する。
【００１９】
遮光帯１４に含まれる着色剤の具体例としては、カーボンブラック、酸化鉄、酸化チタン、黄色酸化鉄、ジスアゾイエロー、フタロシアニンブルー等の一般的な有機顔料あるいは無機顔料が挙げられる。着色剤は１種を単独で使用してもよいし、２種以上を併用してもよい。
着色剤として黒色顔料を用いない場合には、遮光性を確保するため、任意の顔料が添加される。この場合、遮光性が黒色顔料には及ばないので、遮光性を得るために白色顔料が添加されることが好ましい。この白色顔料の添加量は、遮光性を確保しながら任意の色調が生じるように選択される。
【００２０】
遮光帯１４の幅は、１μｍ以上５０μｍ以下が好ましく、１０μｍ以上３０μｍ以下がより好ましい。遮光帯１４の幅が上記数値範囲内であると、ルーバー層１０において、視野角の制御と光透過率の確保とを両立しやすい。
ここで、遮光帯１４の幅は、図２における遮光帯１４の左右方向（第一の主面Ａに沿う方向）の長さのことをいう。
遮光帯１４の幅は、ルーバー層１０の第一の主面Ａの側から、無作為に選択された５ヶ所の断面の厚さをデジタルマイクロスコープによって測定した値の平均値として求められる。
【００２１】
［第一金属層］
第一金属層２０は、明るい色調を有する金属であれば特に制限されない。第一金属層２０を構成する金属としては、例えば、金、銀、銅、亜鉛、ニッケル、スズ、クロム、及びこれらの金属の合金等が挙げられる。
これらの金属のうち、明るい色調を有し、第一金属層２０を形成しやすいことから、ニッケル、スズが好ましい。
【００２２】
第一金属層２０の厚さは、０．０１μｍ以上１０μｍ以下が好ましく、０．１μｍ以上５μｍ以下がより好ましい。第一金属層２０の厚さが上記下限値以上であると、太陽光や蛍光灯等の外光を反射しやすく、光線制御体１の外観を明るくしやすい。第一金属層２０の厚さが上記上限値以下であると、遮光帯１４からの剥離を抑制しやすい。
ここで、第一金属層２０の厚さは、図２における第一金属層２０の上下方向（第一の主面Ａに対して垂直方向）の長さのことをいう。
第一金属層２０の厚さは、無作為に選択された５ヶ所の断面の厚さを蛍光Ｘ線膜厚測定装置によって測定した値の平均値として求められる。
【００２３】
＜光線制御体の製造方法＞
本発明の光線制御体１の製造方法は、ルーバー層１０の第一の主面Ａに表出した遮光帯１４の表面に第一金属層２０を形成する、第一金属層積層工程を有する。
光線制御体１を構成するルーバー層１０は、例えば、以下の方法で製造することができる。まず、光透過帯１２の構成材料からなる所望の厚さの第１のシートの複数枚と、遮光帯１４の構成材料からなる所望の厚さの第２のシートの複数枚とを交互に積層し、加熱及び加圧して、これら複数のシートが一体化してなるブロック体を形成する。
【００２４】
次いで、ブロック体をシート表面に垂直な切断面でスライスすることによりルーバー層１０が得られる。スライスする際の厚さ（スライス幅）は、ルーバー層１０の厚さに相当する。ブロック体をシート表面に対して傾いた面でスライスすることにより、ルーバー層１０の表面と遮光帯１４とのなす角度を調整することができる。
【００２５】
［第一金属層積層工程］
第一金属層積層工程は、スライスして得られたルーバー層１０の切断面（第一の主面Ａ）に表出した遮光帯１４の表面に第一金属層２０を形成する工程である。
【００２６】
第一金属層積層工程としては、第一の主面Ａに表出した遮光帯１４の表面に優先的に第一金属層２０を積層する工程と、第一の主面Ａの全体に第一金属層２０を積層する工程とが挙げられる。
第一の主面Ａに第一金属層２０を積層する方法としては、例えば、電解メッキや自己触媒型無電解メッキ（以下、単に無電解メッキともいう。）等のメッキ法、物理蒸着や化学蒸着等の蒸着法、金属粒子をバインダー樹脂に分散させた分散液を塗布する印刷法等が挙げられる。
【００２７】
第一の主面Ａに表出した遮光帯１４の表面に優先的に第一金属層２０を積層する場合、メッキ法の適用が好ましい。
遮光帯１４が導電性物質を含む場合、ルーバー層１０をメッキ槽に浸漬して、遮光帯１４に電流を流しつつ電解メッキを行うことにより、遮光帯１４の表面に優先的に（選択的に）第一金属層２０を形成することができる。遮光帯１４に電流を流す方法としては、例えば、ルーバー層１０を金属製のクリップで挟み、そのクリップに導線を接続することにより、クリップを介して遮光帯１４に電流を流す方法が挙げられる。前記導電性物質としては、例えば、前述した着色剤から任意に選択されるカーボンブラック等、前述した金属から任意に選択される金、銀、銅等が挙げられる。
遮光帯１４が無電解メッキの触媒を含む場合、ルーバー層１０をメッキ槽に浸漬して無電解メッキを行うことにより、遮光帯１４の表面に優先的に（選択的に）第一金属層２０を形成することができる。前記触媒としては、前述した金属から任意に選択される触媒能を有する物質、例えば、金、銀、銅、鉄、ニッケル、ロジウム、ルテニウム、パラジウム、白金等が挙げられる。触媒は、メッキ液との活性を高め、遮光帯１４の表面においてメッキ金属のイオンを還元しやすくするものが好ましい。
【００２８】
第一の主面Ａに表出した遮光帯１４の全体に、好ましくは均一に、第一金属層２０を積層する場合、前記蒸着法又は前記印刷法の適用が好ましい。
一例として、第一の主面Ａに表出した光透過帯１２の表面のみをマスクして、蒸着法により第一の主面Ａの全体に第一金属層２０を積層した後に、前記マスクを除去する方法によって、遮光帯１４の表面に優先的に第一金属層２０を積層することができる。
【００２９】
前述のメッキ法で第一の主面Ａに第一金属層２０を積層した場合、遮光帯１４だけでなく、光透過帯１２の表面にも第一金属層２０が形成されることがある。具体的には、隣接する遮光帯１４同士を結ぶようにブリッジと呼ばれる第一金属層２０の橋が形成されることがある。ブリッジは、光透過帯１２の表面を覆うように形成されるため、光線制御体１の光透過率を低下させる。ブリッジは、後述する第一金属層整形工程によって、遮光帯１４の表面に形成された第一金属層２０よりも容易に除去できる。
【００３０】
［第一金属層整形工程］
第一金属層整形工程は、ルーバー層１０の第一の主面Ａに表出した光透過帯１２の表面に形成された第一金属層２０を除去する工程である。
光透過帯１２の表面に形成された第一金属層２０を除去する方法としては、レーザー光線を当ててエッチングする方法、粘着テープ等を貼って剥がす方法、光透過帯１２の表面のマスクを取り外す方法等が挙げられる。
レーザー光線を当ててエッチングする場合、光透過帯１２の表面に積層された第一金属層２０にレーザー光線を当てて、第一金属層２０を剥落させて第一金属層２０を除去する。
粘着テープ等を貼って剥がす場合、光透過帯１２と第一金属層２０との接着力と、遮光帯１４と第一金属層２０との接着力との違いを利用する。例えば、光透過帯１２と第一金属層２０との接着力を、遮光帯１４と第一金属層２０との接着力よりも小さくする。粘着テープを第一金属層２０の表面に貼り付けた後、前記粘着テープを剥がすことにより、遮光帯１４の表面よりも優先的に、光透過帯１２の表面から第一金属層２０を除去することができる。
【００３１】
光透過帯１２と第一金属層２０との接着力を、遮光帯１４と第一金属層２０との接着力よりも小さくする方法としては、電解メッキや無電解メッキ等のメッキ法が挙げられる。
電解メッキでは、例えば、遮光帯１４に導電性が付与されており、遮光帯１４の表面を起点として第一金属層２０が形成される。このため、遮光帯１４と第一金属層２０との接着力は強い。導電性が付与されていない光透過帯１２の表面には、第一金属層２０は形成されないか又は第一金属層２０のブリッジが形成されるにとどまるため、光透過帯１２と第一金属層２０との接着力は、遮光帯１４と第一金属層２０との接着力よりも小さい。
無電解メッキでは、例えば、遮光帯１４にメッキ液との活性を高める触媒が含有されており、遮光帯１４の表面に優先的に第一金属層２０が形成される。このため、遮光帯１４と第一金属層２０との接着力は強い。メッキ液との活性を高める触媒を含有しない光透過帯１２の表面は、第一金属層２０が形成されても、形成される第一金属層２０が少量であるため、光透過帯１２と第一金属層２０との接着力は弱い。また、第一金属層２０のブリッジが形成された場合、ブリッジは、光透過帯１２の表面に直接付着しないため、光透過帯１２と第一金属層２０との接着力は弱い。すなわち、光透過帯１２と第一金属層２０との接着力は、遮光帯１４と第一金属層２０との接着力よりも小さい。
第一金属層２０のブリッジは、レーザー光線を当ててエッチングする方法や、粘着テープ等を貼って剥がす方法によって、容易に除去できる。
この他、光透過帯１２と第一金属層２０との接着力は、光透過帯１２を構成する樹脂材料の種類や、第一金属層２０を構成する金属の種類等により調整できる。
遮光帯１４と第一金属層２０との接着力は、遮光帯１４を構成する樹脂材料の種類、遮光帯１４に含まれる着色剤の種類や量、遮光帯１４に含まれる触媒の種類や量、第一金属層２０を構成する金属の種類等により調整できる。
【００３２】
光透過帯１２に第一金属層２０を積層しない方が、光線制御体１を光が透過しやすいため、光透過率を確保しやすい。第一金属層整形工程を有する場合、光透過帯１２と第一金属層２０との接着力を、遮光帯１４と第一金属層２０との接着力よりも小さくすると、光透過帯１２の表面から優先的に第一金属層２０を除去することができる。加えて、第一金属層整形工程を有しない方が、光線制御体１の生産性に優れる。
以上の観点から、第一金属層積層工程としては、電解メッキや無電解メッキ等のメッキ法による積層方法が好ましく、作業をより容易に行える観点から無電解メッキによる積層方法がより好ましい。
【００３３】
第一金属層積層工程及び必要に応じて第一金属層整形工程を経ることにより、ルーバー層１０の第一の主面Ａに表出した遮光帯１４の表面に第一金属層２０が形成された光線制御体１が得られる。
【００３４】
本実施形態の光線制御体１によれば、ルーバー層１０の第一の主面Ａに表出した暗色の遮光帯１４の表面に、明るい色調を有する第一金属層２０を備えるため、光線制御体１の第一の主面Ａは、明るい外観を呈する。このため、情報表示画面や光透過窓に第一金属層２０を表出するように光線制御体１を貼り付けた場合、情報表示画面や光透過窓が暗い色となることを防げる。その結果、情報表示画面に貼り付けた光線制御体１と情報表示体のケースとの間に色調の差が生じることを防ぐことができ、情報表示体の外観を損ねるという問題を解決できる。
光透過窓を備える光センサ装置や住居等の建築物の場合も、本実施形態の光線制御体１によれば、光透過窓の外観を明るくすることができる。
【００３５】
≪第二実施形態≫
＜光線制御体＞
図３に、本発明の光線制御体の第二実施形態の断面図を示す。第一実施形態と同じ構成には、同じ符号を付して、その説明を省略する。
図３に示すように、本実施形態の光線制御体２は、ルーバー層１０の第一の主面Ａに表出した遮光帯１４の表面に、第一金属層２０を備え、ルーバー層１０の第一の主面Ａ及び第一金属層２０の表面に、透明保護層３０をさらに備える。
光線制御体２は、ルーバー層１０の第二の主面Ｂに表出した遮光帯１４の表面に、第二金属層２２を備え、ルーバー層１０の第二の主面Ｂ及び第二金属層２２の表面に、透明保護層３２をさらに備える。
【００３６】
［第二金属層］
第二金属層２２は、明るい色調を有する金属であれば特に制限されない。第二金属層２２を構成する金属としては、第一金属層２０を構成する金属と同様の金属が挙げられる。第二金属層２２を構成する金属は、第一金属層２０を構成する金属と同じでもよく、異なっていてもよい。
第二金属層２２の厚さは、第一金属層２０の厚さと同様である。第二金属層２２の厚さは、第一金属層２０の厚さと同じでもよく、異なっていてもよい。
第二金属層２２の厚さは、第一金属層２０の厚さと同様に求められる。
第二金属層２２は、ルーバー層１０の第二の主面Ｂに表出した遮光帯１４の表面の少なくとも一部に備えられている。光線制御体２の外観をより明るくする観点から、第二金属層２２は、ルーバー層１０の第二の主面Ｂに表出した遮光帯１４の長手方向に沿って、全体に形成されていることが好ましい。
光線制御体２の光透過率を確保する観点から、第二金属層２２は、ルーバー層１０の第二の主面Ｂに表出した光透過帯１２の表面には形成されず、第二の主面Ｂに表出した遮光帯１４の表面のみに形成されることが好ましい。光線制御体２の外観をより明るくする観点から、第二金属層２２は、ルーバー層１０の第二の主面Ｂに表出した遮光帯１４の表面全体に形成されていることがより好ましい。
その他の点についても、第二金属層２２は、第一金属層２０と同様の構成とすることができる。
【００３７】
［透明保護層］
透明保護層３０は、透明樹脂材料から構成された層であり、ルーバー層１０の第一の主面Ａに設けられてルーバー層１０の保護層として機能する。
透明保護層３０は、透明性が高いことが好ましい。ルーバー層１０の厚さ方向に光を透過させたときの光透過率は、７５％以上が好ましく、８５％以上がより好ましい。
【００３８】
透明保護層３０を構成する透明樹脂材料としては、例えば、シリコーン樹脂、ポリカーボネート樹脂、ポリエステル系樹脂、アクリル樹脂、ポリオレフィン系樹脂（特に、シクロオレフィンポリマー）、セルロース系樹脂等が挙げられる。これら透明樹脂材料のなかでも、透明性及び耐熱性が高いことから、シリコーン樹脂、ポリカーボネート、ポリエステル樹脂が好ましい。光透過帯１２を構成する材料がシリコーンゴムの場合、透明保護層３０を構成する透明樹脂材料は、光透過帯１２を構成するシリコーンゴムと同種又は同系のシリコーンゴムがより好ましく、光透過帯１２を構成するシリコーンゴムと屈折率が略同一のシリコーンゴムがさらに好ましい。
透明樹脂材料は１種を単独で使用してもよいし、２種以上を併用してもよい。
【００３９】
透明保護層３０の厚さは、０．０１ｍｍ以上０．５ｍｍ以下が好ましく、０．１ｍｍ以上０．２ｍｍ以下がより好ましい。透明保護層３０の厚さが上記下限値以上であると、ルーバー層１０を十分に保護できる。透明保護層３０の厚さが上記上限値以下であると、十分な光透過率を確保できる。
透明保護層３０の厚さは、無作為に選択された５ヶ所の断面の厚さをデジタルマイクロスコープによって測定した値の平均値として求められる。
【００４０】
透明保護層３２は、透明樹脂材料から構成された層であり、ルーバー層１０の第二の主面Ｂに設けられてルーバー層１０の保護層として機能する。
透明保護層３２は、透明保護層３０と同様であり、透明保護層３２と透明保護層３０とは、同じでもよく、異なっていてもよい。
【００４１】
＜光線制御体の製造方法＞
本実施形態の光線制御体２の製造方法は、ルーバー層１０の第二の主面Ｂに表出した遮光帯１４の表面に第二金属層２２を形成する、第二金属層積層工程を有する。
【００４２】
［第二金属層積層工程］
第二金属層積層工程は、前記ブロック体をスライスして得られたルーバー層１０の切断面のうち、第一の主面Ａと反対側の第二の主面Ｂに表出した遮光帯１４の表面に第二金属層２２を形成する工程である。
第二金属層積層工程は、ルーバー層１０の第二の主面Ｂに表出した遮光帯１４の表面に第二金属層２２を形成する以外は、第一金属層積層工程と同様である。第二金属層積層工程と第一金属層積層工程とは、同じでもよく、異なっていてもよい。
第二金属層積層工程として、上述したメッキ法を採用すれば、第一の主面Ａ及び第二の主面Ｂの双方に金属層（第一金属層２０及び第二金属層２２）を同時に形成できる。
【００４３】
［第二金属層整形工程］
第二金属層整形工程は、ルーバー層１０の第二の主面Ｂに表出した光透過帯１２の表面に形成された第二金属層２２を除去する工程である。
第二金属層整形工程は、ルーバー層１０の第二の主面Ｂに表出した光透過帯１２の表面に形成された第二金属層２２を除去する以外は、第一金属層整形工程と同様である。第二金属層整形工程と第一金属層整形工程とは、同じでもよく、異なっていてもよい。
【００４４】
［透明保護層積層工程］
透明保護層積層工程は、第一金属層積層工程によって得られたルーバー層１０の第一の主面Ａに透明保護層３０を積層する工程である。
透明保護層３０を積層する方法としては、例えば、透明保護層３０を構成する材料をあらかじめシート状に成形し、得られた透明シートを、ルーバー層１０の第一の主面Ａに貼着する方法が挙げられる。透明シートの貼着の際には、接着剤を使用してもよいし、接着剤を使用せずに熱圧着してもよい。
接着剤を使用する場合、接着剤としては、硬化後における光透過率が高いものが好ましい。具体的には、硬化後の接着剤層単体における光透過率が好ましくは６５％以上、より好ましくは８０％以上になるものが使用される。
このような接着剤としては、例えば、エポキシ系接着剤、ウレタン系接着剤、アクリル系接着剤、メラミン系接着剤、ポリエステル系接着剤、シリコーン系接着剤等が挙げられる。また、接着剤は、熱硬化型接着剤、多液反応型接着剤、紫外線硬化型接着剤等のいずれであってもよい。
【００４５】
透明保護層３２を積層する工程は、第二金属層積層工程によって得られたルーバー層１０の第二の主面Ｂに透明保護層３２を積層する工程である。
透明保護層３２を積層する方法は、透明保護層３０を積層する方法と同様である。
【００４６】
透明保護層積層工程を経ることにより、ルーバー層１０の第一の主面Ａ及び第一金属層２０の表面に、透明保護層３０を備え、ルーバー層１０の第二の主面Ｂ及び第二金属層２２の表面に、透明保護層３２を備える光線制御体２が得られる。
【００４７】
本実施形態の光線制御体２によれば、透明保護層３０を備えるので、ルーバー層１０の第一の主面Ａを保護できる。透明保護層３０の表面は、ルーバー層１０の第一の主面Ａに比べて平滑である。このため、透明保護層３０に入射する外光の乱反射を抑制できる。その結果、光線制御体２を貼り付けた情報表示画面や光透過窓の視認性を向上できる。
光線制御体２が明るい外観を呈する点については、光線制御体１と同様である。
【００４８】
本実施形態の光線制御体２によれば、透明保護層３２を備えるので、ルーバー層１０の第二の主面Ｂを保護できる。
加えて、本実施形態の光線制御体２では、ルーバー層１０の第一の主面Ａ及び第二の主面Ｂの双方に金属層及び透明保護層を備えるため、光線制御体２のどちらの主面を情報表示体等に貼り付けても、本願発明の効果を奏する。このため、光線制御体を情報表示体等に貼り付ける際の作業効率を向上できる。
【００４９】
情報表示体がバックライトを備える場合、本実施形態の光線制御体２によれば、第二金属層２２を備えるので、バックライトから光線制御体２に向かう光を第二金属層２２で反射させることができる。この反射光を再度バックライトで反射させて光線制御体２の光透過帯１２に向かわせることにより、光を効率的に利用できる。
【００５０】
本発明は、上記実施形態に限定されるものではない。
例えば、透明保護層にさらに接着層や粘着層が積層されていてもよい。光線制御体が接着層を備えることで、光線制御体を情報表示画面や光透過窓に貼り付ける際の作業効率を向上できる。接着層に用いられる接着剤は、透明保護層３０を積層する際に用いられる接着剤と同様である。粘着層を構成する材料としては、公知の感圧性の接着剤等を利用できる。
本実施形態の光線制御体は、平面視矩形であるが、平面視三角形や五角形であってもよく、その他の多角形や円形、楕円形であってもよい。
本実施形態の光線制御体は、ルーバー層の第二の主面に第二金属層及び透明保護層を備えるが、第二の主面には第二金属層を備えず、透明保護層のみが備えられていてもよい。
本実施形態の光線制御体は、ルーバー層が一層のみであるが、ルーバー層を二層以上備えていてもよい。
【００５１】
本発明の光線制御体を住居等の建築物の光透過窓（ガラス窓等）に貼り付けた場合、光線制御体はルーバー層を備えるため、外部からの視野角を制御でき、覗き見を防止できる。加えて、本発明の光線制御体は、第一金属層を備えるため、太陽光等の外光を第一金属層が反射し、住居等の室内の温度上昇を抑制することができる。さらに、本発明の光線制御体は、第一金属層を備え、明るい外観を呈するため、住居等の外観を美麗にする意匠的な効果も得られる。
【００５２】
以上説明してきたように、本発明の光線制御体は、ルーバー層の第一の主面に表出した暗色の遮光帯の表面に、明るい色調を有する第一金属層を備えるため、光線制御体の第一の主面は、明るい外観を呈する。このため、情報表示画面や光透過窓に第一金属層を表出するように光線制御体を貼り付けた場合、情報表示画面や光透過窓が暗い色となることを防げる。その結果、情報表示画面や光透過窓に貼り付けた光線制御体と情報表示体のケースとの間に色調の差が生じることを防ぐことができ、情報表示体の外観を損ねるという問題を解決できる。
【符号の説明】
【００５３】
１、２  光線制御体
１０  ルーバー層
１２  光透過帯
１４  遮光帯
２０  第一金属層
２２  第二金属層
３０、３２  透明保護層
Ａ  第一の主面
Ｂ  第二の主面
【図１】
2019128477.tif 000003
【図２】
2019128477.tif 000004
【図３】
2019128477.tif 000005